(57)【要約】【課題】組み立てが容易で外観もよく、剛性の点でも問題のない金属製ポールを実現する。【解決手段】大径の直管部分１の上縁部と、より小径で照明灯３を有する先端部分２の基部とをボルト接続した金属製ポールであって、接続部分４は、直管部分１上縁部に設けた受け座１１と、先端部分２の基部に設けたフランジ２１とをボルト結合するとともに受け座１１下面を覆うように受け座１１と直管部分１との間に被覆体１２を設ける。【選択図】図２
0003128579.tif 000002
【実用新案登録請求の範囲】
【請求項１】
大径の直管部分（１）の上縁部と、この直管部分（１）より小径で照明灯（３）を有する先端部分（２）の基部とをボルト接続した金属製ポールであって、接続部分（４）は、前記直管部分（１）上縁部に設けた受け座（１１）と、この受け座（１１）で支持される前記先端部分（２）の基部に設けたフランジ（２１）とからなり、フランジ（２１）にはボルト挿入孔を、受け座（１１）にはこのボルト挿入孔に対応するボルトねじ座を設け、受け座（１１）とフランジ（２１）とをボルト結合するとともに受け座（１１）下面を覆うように受け座（１１）と直管部分（１）との間に被覆体（１２）を設けたことを特徴とする金属製ポール。
【請求項２】
前記先端部分（２）基部の下方に延長部（２ａ）を設けてこれを前記直管部分（１）内に挿入し、挿入した延長部（２ａ）を直管部分（１）に接触させたことを特徴とする請求項１に記載の金属製ポール。
【請求項３】
前記先端部分（２）延長部（２ａ）と直管部分（１）との接触が、延長部（２ａ）側に取り付けられたスペーサ（２２）を介して行われることを特徴とする請求項１または２に記載の金属製ポール。
【考案の詳細な説明】
【技術分野】
【０００１】
本考案は、道路脇に立設され、基部に電気制御装置、頂部に照明灯等を有する長尺の金属製ポールに関する。
【背景技術】
【０００２】
地上に立設される長尺の金属製ポールとしては、照明灯や信号機等を取り付けて道路脇に立設されるものが代表的であるが、従来の照明灯用ポールには標準規格によって肉厚約４〜６ｍｍの鋼管が一般に用いられている。
これら長尺の金属製ポールは、湾岸道路や高速道路、一般幹線道路などによく採用される。電気制御器などを収納するため地上寄りの基部を大径とし、照明灯を取り付けた先端寄りを小径として、重量配分や剛性のバランスを考慮して設計される。
【０００３】
特許文献１に記載のものは、厚肉の鋼管から先細のテーパ管部を絞り加工して連続的に径を変化させたもので、いわば「一体成形型金属製ポール」である。また特許文献２に記載のものは大径の下部ポールに小径の上部ポールを連続させた「一体型成形段付き金属製ポール」である。これらはいずれ直管部分と先端部分とが一体となっているので組み立て作業が不用で、かつ剛性の点でも好ましいが、金属製ポールの発注において、電気制御装置と信号機、照明灯はそれぞれに管理者が異なり、道路所管、交通所管、電力所管がそれぞれ別個に発注するので上下を同一業者が製造するとは限らず、上下一体の構造では現実の発注に支障があるという問題点があった。
【０００４】
さらに直管部分については収納機器の問題の他に道路からの振動を直接受けることから大径で剛性を大きくとることが要求され、先端部分については直管部分ほどの剛性を必要としないため小径でよく、両者の継目においては段差があるので、一体型が必ずしも経済的ではない。
また、直管部分と先端部分とを別個に製作して継手で接続する一体型でない段付き金属製ポールの場合、従来もっぱら採用されている継手は図５、６に示すような構造である。
【０００５】
図５のものは、直管部分１の上縁に受け座１１、先端部分２の基部にフランジ２１を設け、両者をボルト４１により結合して一体化する。また図６のものは、先端部分２の基部にフランジ２１を設けるとともに先端部分２をこのフランジよりも下に若干延長して延長部２ａを直管部分１内に挿入し、挿入された延長部２ａにボルト孔を設けて外側の直管部分１とボルト４１で結合するとともに、上記フランジ２１を直管部分１と溶接してストッパ兼支持点とする構造である。
【０００６】
しかし金属製ポールは道路上に多数並べて設置されるいわば景観商品であり、図５のものではボルト、ナットが露出していて景観を損ねること甚だしい。また図６のものはボルトの頭が見えるだけで景観上は図５のものよりはましであるが、延長部分のボルト孔の位置合せが難しく、組み立て作業が困難であるという問題点がある。
【特許文献１】特開２００１−３００３２号公報
【特許文献２】特開２００１−４９８９９号公報
【考案の開示】
【考案が解決しようとする課題】
【０００７】
本考案は、上記の問題点を解消し、組み立てが容易で外観もよく、剛性の点でも問題のない金属製ポールを実現することを目的とする。
【課題を解決するための手段】
【０００８】
本考案は、大径の直管部分の上縁部と、この直管部分より小径で照明灯を有する先端部分の基部とをボルト接続した金属製ポールであって、接続部分は、前記直管部分上縁部に設けた受け座と、この受け座で支持される前記先端部分の基部に設けたフランジとからなり、フランジにはボルト挿入孔を、受け座にはこのボルト挿入孔に対応するボルトねじ座を設け、受け座とフランジとをボルト結合するとともに受け座下面を覆うように受け座と直管部分との間に被覆体を設けたことを特徴とする金属製ポールであり、望ましくは前記先端部分基部の下方に延長部を設けてこれを前記直管部分内に挿入し、挿入した延長部を直管部分に接触させたことを特徴とするものであり、さらに前記先端部分延長部と直管部分との接触が、延長部側に取り付けられたスペーサを介して行われることを特徴とする前記の金属製ポールである。
【考案の効果】
【０００９】
本考案によれば、組み立てが容易で、被覆体によってボルト類が隠されるので外観もよく、上下で径差を設けて剛性の点でも問題のない金属製ポールが実現するという、すぐれた効果を奏する。
【考案を実施するための最良の形態】
【００１０】
本考案の実施例を図面により説明する。図１は実施例の金属製ポール全体を示す正面図で、１は大径の直管部分、２は小径の先端部分、３は先端部分２に取り付けられた照明灯、４は直管部分１と先端部分２との接続部分である。ちなみに寸法例を示すと、直管部分１の外径は上部で260〜270ｍｍ、下部で350〜360ｍｍ、長さ（高さ）は直管部分１全体で9、200ｍｍ、先端部分２の外径は210〜220ｍｍ、長さは3、800ｍｍで、ポールの全高さは13ｍである。
【００１１】
図２は接続部分４を片側断面で示す部分正面図、図３は先端部分２の基部付近を、図４は直管部分１の上縁付近を片側断面で示す部分正面図である。直管部分１の上縁部に受け座１１を設け、先端部分２の基部に設けたフランジ２１をこの受け座１１で支持する。
フランジ２１にはボルト挿入孔、受け座１１にはこのボルト挿入孔に対応する位置に、挿入されるボルトの雄ねじに対応する雌ねじを加工したボルトねじ座を設け、受け座１１とフランジ２１とをボルト結合している。
【００１２】
また、受け座１１の下面を覆うように受け座１１と直管部分１との間に被覆体１２を設け、ボルトが地上から見えないように隠蔽している。
なお、受け座１１と直管部分１との間に設けられる被覆体１２は、金属製ポールとして出荷される際、工場で予め取り付けて塗装が行われ、先端部分２の接続の際に、現地において被覆体１２の取り付け作業が発生しないようにされている。そのため外見上も被覆体１２の取り付けの個人差によるむらがなく、さらにまた直管部分１、あるいは先端部分２と同じ塗装を予め施すので美麗であり、景観性を損ねることがない。したがって本考案では前記のボルトねじ座を受け座１１側に設け、フランジ２１側から挿入されるボルト４１によりボルト結合するようにしている。
【００１３】
さらに先端部分２の基部の下方に延長部２ａを設けてこれを前記直管部分１の内部に挿入し、挿入した延長部２ａを直管部分１に接触させるようにする。この実施例ではこの接触を、延長部２ａに取り付けられたスペーサ２２を介して行っている。
以上説明した金属製ポールは、図１にも示すように直管部分１と先端部分２とで段差が発生するが、上下の製造・施工業者が同一でなくても、予め被覆体の取り付けおよび塗装が済んでいるため接続部分４の外観は美麗であり、剛性の点でも問題がない。
【図面の簡単な説明】
【００１４】
【図１】実施例の金属製ポール全体を示す正面図である。
【図２】実施例における接続部分を片側断面で示す部分正面図である。
【図３】実施例における先端部分の基部付近を片側断面で示す部分正面図である。
【図４】実施例における直管部分の上縁付近を片側断面で示す部分正面図である。
【図５】従来の技術における接続部分を片側断面で示す部分正面図である。
【図６】従来の他の技術における接続部分を片側断面で示す部分正面図である。
【符号の説明】
【００１５】
１    直管部分
２    先端部分
２ａ  延長部
３    照明灯
４    接続部分
１１    受け座
１２    被覆体
２１    フランジ
２２    スペーサ
４１    ボルト
【図１】
0003128579.tif 000003
【図２】
0003128579.tif 000004
【図３】
0003128579.tif 000005
【図４】
0003128579.tif 000006
【図５】
0003128579.tif 000007
【図６】
0003128579.tif 000008